(57)【要約】【課題】隔壁によって仕切られ２種類の輸液が個別に収納された液体収納袋を、仕切り部材を用いることなく、包装箱に複数個収納することができる包装構造を提供する。【解決手段】段ボール製の包装箱１に、易剥離可能な隔壁６によって仕切られ成分配合の異なる２種類の血液濾過用補充液であるＡ液とＢ液とが個別に収納される２つの袋部７ａ，７ｂを備えた液体収納袋５が複数個収納される包装構造において、液体収納袋５は、隔壁６部分で折り曲げられて２つの袋部７ａ，７ｂが起立した２つ折りの状態で、ガス非透過性包装材を用いて形成され内部に脱酸素剤１１が入れられた２次包装袋１０に収納され、この２次包装袋１０に密封状態で個々に収納された複数個の液体収納袋５は２次包装袋１０よりも摩擦係数が低い大袋１３に収納された状態で包装箱１に収納されるようにした。【選択図】図６
2013220834.tif 000002
【特許請求の範囲】
【請求項１】
平面形状が矩形の段ボール製の包装箱に、易剥離可能な隔壁によって仕切られ成分配合の異なる２種類の輸液が個別に収納される２つの袋部を備えた液体収納袋が複数個収納される包装構造において、
液体収納袋は、隔壁部分で折り曲げられて２つの袋部が起立した２つ折りの状態で、ガス非透過性包装材を用いて形成され内部に脱酸素剤が入れられた２次包装袋に密封状態で収納され、この２次包装袋に密封状態で個々に収納された複数個の液体収納袋は２次包装袋よりも摩擦係数が低い大袋に収納された状態で包装箱に収納されることを特徴とする包装構造。
【請求項２】
包装箱の底部には高発泡合成樹脂製の緩衝シートが載置されており、大袋に収納された液体収納袋は緩衝シートに載置された状態で包装箱に収納されることを特徴とする請求項１に記載の包装構造。
【請求項３】
包装箱は複両面段ボール板を用いて形成されていることを特徴とする請求項１または請求項２に記載の包装構造。
【請求項４】
輸液は血液濾過用補充液であることを特徴とする請求項１〜３のいずれか１項に記載の包装構造。
【発明の詳細な説明】
【技術分野】
【０００１】
本発明は、輸液を充填してなる液体収納袋を収納包装する包装構造に関する。
【背景技術】
【０００２】
特許文献１には、段ボール製の包装箱内に液収納袋体を収納する包装構造が記載されている。包装箱内に収納される液収納袋体の下部は、包装箱の底部に設けられた段ボール製の底部受け板の断面三角形の２本の山型部で受けられている。液収納袋体の下部のうち山型部で受けられていない部分は、底部受け板上に強く当接していない。このように特許文献１に記載の包装構造では、液収納袋体の下部のうち底部受け板に当接する部分を小さくして、包装箱に外部からの衝撃などが加わった場合に液収納袋体が受ける影響を小さくしている。
【先行技術文献】
【特許文献】
【０００３】
【特許文献１】特開２０１０−２２８７９９号公報
【発明の概要】
【発明が解決しようとする課題】
【０００４】
上記特許文献１に記載の包装構造では、液収納袋体の下部を保護するために段ボール製の底部受け板を用いており、易剥離可能な隔壁によって仕切られた２つの袋部に２種類の輸液が個別に収納されている液体収納袋を、隔壁部分が折り曲げられて２つの袋部が起立した状態で包装箱内に収納する場合には、断面三角形の２本の山型部に当接する隔壁部分が傷付いて剥離し、２種類の輸液が不用意に混ざり合い、あるいは輸液が外部に漏れ出ることがある。
【０００５】
本発明の目的は、このような課題を解決するもので、隔壁によって仕切られた２つの袋部に２種類の輸液が個別に収納された液体収納袋を、隔壁部分が折り曲げられて２つの袋部が起立した状態で包装箱に収納する場合に、隔壁部分が傷付き、２種類の輸液が不用意に混ざり合い、あるいは輸液が外部に漏れ出ることを防止することができる包装構造を提供することである。
【課題を解決するための手段】
【０００６】
本発明の請求項１の発明は、平面形状が矩形の段ボール製の包装箱に、易剥離可能な隔壁によって仕切られ成分配合の異なる２種類の輸液が個別に収納される２つの袋部を備えた液体収納袋が複数個収納される包装構造において、液体収納袋は、隔壁部分で折り曲げられて２つの袋部が起立した２つ折りの状態で、ガス非透過性包装材を用いて形成され内部に脱酸素剤が入れられた２次包装袋に密封状態で収納され、この２次包装袋に密封状態で個々に収納された複数個の液体収納袋は２次包装袋よりも摩擦係数が低い大袋に収納された状態で包装箱に収納されるものである。
【０００７】
請求項２の発明は、包装箱の底部には高発泡合成樹脂製の緩衝シートが載置されており、大袋に収納された液体収納袋は緩衝シートに載置された状態で包装箱に収納されるものである。
【０００８】
請求項３の発明は、包装箱が複両面段ボール板を用いて形成されているものである。
請求項４の発明は、輸液が血液濾過用補充液である。
【発明の効果】
【０００９】
以上のように本発明によれば、液体収納袋が収納される２次包装袋はガス非透過性包装材を用いて形成され内部に脱酸素剤が入れられているので、２次包装袋は密封状態で内部は脱酸素状態とされ、液体収納袋の内部に空気中の酸素が浸入することを防止することができる。液体収納袋は２次包装袋に収納され、さらに２次包装袋よりも摩擦係数が低い大袋に収納された状態で包装箱に収納されるので、隔壁によって仕切られた２つの袋部に２種類の輸液が個別に収納された液体収納袋を、隔壁部分が折り曲げられて２つの袋部が起立した状態で収納する場合に、隔壁部分が包装箱と擦れあって傷付き、２種類の輸液が不用意に混合され、あるいは輸液が外部に漏れ出ることを防止することができる。
【図面の簡単な説明】
【００１０】
【図１】本発明の一実施の形態に係る包装構造の分解斜視図である。
【図２】同液体収納袋の斜視図である。
【図３】同２つ折りにされた液体収納袋の正面図である。
【図４】同２次包装袋に収納された液体収納袋の正面断面図である。
【図５】同上蓋を開いた状態での包装構造の斜視図である。
【図６】同包装構造の断面図である。
【発明を実施するための形態】
【００１１】
以下、本発明に係る一実施の形態について図１〜図６に基づいて説明する。図において、１は段ボール板からなる平面形状が矩形の包装箱で、短辺側および長辺側の２組の対向側壁２ａ，２ａ、２ｂ，２ｂと、この２組の対向側壁２ａ，２ａ、２ｂ，２ｂの下端に連設される底板形成用フラップ３ａ，３ａ、３ｂ，３ｂと、２組の対向側壁２ａ，２ａ、２ｂ，２ｂの上端に連設される上蓋形成用フラップ４ａ，４ａ、４ｂ，４ｂとから構成されている。
【００１２】
詳しくは、底板形成用フラップ３ａ，３ａ、３ｂ，３ｂは短辺側の底板形成用フラップ３ａ，３ａが先に折り曲げられ、続いて底板形成用フラップ３ａ，３ａの下面に重なるように長辺側の底板形成用フラップ３ｂ，３ｂが折り曲げられて、底板形成用フラップ３ｂ，３ｂの先端を付き合わせ、この底板形成用フラップ３ｂ，３ｂを付き合わせ状態で封緘テープにより封緘し底板が形成される。
【００１３】
また、上蓋形成用フラップ４ａ，４ａ、４ｂ，４ｂについても同様で、短辺側の上蓋形成用フラップ４ａ，４ａが先に折り曲げられ、続いて上蓋形成用フラップ４ａ，４ａの上面に重なるように長辺側の上蓋形成用フラップ４ｂ，４ｂが折り曲げられて、上蓋形成用フラップ４ｂ，４ｂの先端を突き合わせ、この上蓋形成用フラップ４ｂ，４ｂを突き合わせ状態で封緘テープにより封緘し、上蓋が形成される。
【００１４】
５はほぼ２等分する位置に隔壁６によって仕切られ、成分配合の異なる２種類の輸液である血液濾過用補充液（Ａ液およびＢ液）が個別に収納される２つの袋部７ａ，７ｂを備えた合成樹脂製の液体収納袋で、平面視が矩形に形成されており、周縁部８は強固に熱溶着されているが、隔壁６は易剥離可能に溶着されている。
【００１５】
Ａ液とＢ液とは人工透析に用いられる血液濾過用補充液であって、Ａ液には、塩化ナトリウム，塩化カリウム，炭酸水素ナトリウムが含有されており、Ｂ液には、塩化ナトリウム，塩化カリウム，塩化カリウム水和物，塩化マグネシウム，無水酢酸ナトリウム，ブドウ糖，ｐＨ調整剤が含有されている。
【００１６】
輸液を使用するときには、少なくとも何れか一方の袋部７ａ，７ｂを手で押して圧縮させ、内圧により隔壁６を剥離させる。そして袋部７ａと７ｂとが連通すると、Ａ液とＢ液とが混ざり合う。Ａ液が充填されている袋部７ａの端部には抽出口９が設けられており、Ａ液とＢ液とが混合された輸液は抽出口９から抽出され人工透析に使用される。前記液体収納袋５に収納されるＡ液とＢ液とからなる血液濾過用補充液の量は、たとえば２リットル程度である。
【００１７】
液体収納袋５に用いられる易剥離性を有するフィルムとしては、たとえばプロピレン・α−オレフィン共重合体（Ａ）と、この共重合体（Ａ）とα−オレフィン含有率が異なるプロピレン・α−オレフィン共重合体（Ｂ）および／またはプロピレン単独重合体（Ｃ）の混合物からなる。
【００１８】
プロピレン・α−オレフィン共重合体（Ａ）のα−オレフィン含有率は５〜２０モル％であり、好ましくは７〜１５モル％である。また、プロピレン・α−オレフィン共重合体（Ｂ）のα−オレフィン含有率は８モル％以下であり、好ましくは７モル％以下である。
【００１９】
プロピレン・α−オレフィン共重合体（Ａ）の具体例としては、プロピレン・エチレン共重合体、プロピレン・ブテン共重合体などの２元共重合体が挙げられるが、プロピレン・エチレン・ブテン共重合体などの３元共重合体であってもよい。プロピレン・α−オレフィン共重合体（Ｂ）のα−オレフィンも、前記共重合体（Ａ）と同様のものが使用可能である。
【００２０】
１０は、ガス非透過性包装材を用いて平面視が矩形に形成された２次包装袋である。この２次包装袋１０には液体収納袋５が収納され、さらに脱酸素剤１１と酸素検知剤１２とが入れられた状態で周縁部がヒートシールにて密閉される。脱酸素剤１１として、たとえば大江化学工業株式会社製タモツ（登録商標）が用いられる。酸素検知剤１２としては、たとえば三菱ガス化学株式会社製の錠剤エージレスアイ（登録商標）が用いられる。
【００２１】
２次包装袋１０に用いられるガス非透過性包装材として、たとえばエチレンビニルアルコール共重合体（ＥＶＯＨ）、ポリエチレンテレフタレート（ＰＥＴ）ポリ塩化ビニリデン（ＰＶＤＣ）、ナイロンなどから構成された包装材、そしてこれらの素材にシリカやアルミナなどのガスバリア性物質の蒸着処理を行なった包装材、また、これらの素材を組み合わせた多層フィルムから作製された包装材などが用いられる。
【００２２】
液体収納袋５は、隔壁６部分で折り曲げられて２つの袋部７ａ，７ｂが起立した２つ折りの状態で、かつ前記抽出口９が上方に向くように、２次包装袋１０に密閉状態で収納される。２次包装袋１０はガス非透過性包装材を用いて形成されており、この２次包装袋１０の内部には脱酸素剤１１が収納されているので、２次包装袋１０を密閉しておくことにより、その内部は脱酸素状態とされる。これによって、Ａ液とＢ液とが充填されている液体収納袋５の内部に酸素が浸入することを防止することができる。
【００２３】
液体収納袋５は、隔壁６部分で折り曲げられて２つの袋部７ａ，７ｂが起立した状態で２次収納袋１０に収納されて保護されている。２次包装袋１０が破損して、外部から２次包装袋１０の内部に空気中の酸素が浸入すると、酸素検知剤１２がピンク色から紫色に変化することによって、２次包装袋１０の内部に酸素が浸入したことを容易に知ることができる。
【００２４】
２次包装袋１０に収納された液体収納袋５は、複数個まとめて大袋１３に収納され、この大袋１３が包装箱１に収納される。大袋１３は、たとえばポリエチレン、ポリ塩化ビニル（ＰＶＣ）などの２次包装袋１０より摩擦係数が低いフィルムを用いて形成される。このように液体収納袋５が複数個まとめて入れられた大袋１３の上端は密閉しない状態としておく。
【００２５】
包装箱１は図示の如く、複両面段ボール板を用いて形成されているのが強度上好ましく、両面段ボール板を用いて包装箱１を形成した場合に比して包装箱１の強度を向上させることができ、液体収納袋５を外からの衝撃に対して保護することができる。
【００２６】
包装箱１の底板上には高発泡合成樹脂製の緩衝シート１４が設置されており、大袋１３に入れられた複数個の液体収納袋５は、折り曲げられた隔壁６部分が下端となるように載置された状態で包装箱１に収納される。緩衝シート１４は、包装箱１の底板の大きさ、形状に合わせて矩形に形成されている。包装箱１の底板上に設置された緩衝シート１４が、２次包装袋１０に入れられた液体収納袋５を受けることにより、液体収納袋５の隔壁６を外部からの衝撃に対して保護することができ、隔壁６が剥離するのを防止することができる。
【００２７】
液体収納袋５は、２次包装袋１０に入れられた状態で、複数個がまとめて摩擦係数が低い大袋１３に入れられているので、２次包装袋１０が包装箱１の内面と擦れ合うことがなく、２次包装袋１０が破れることを効果的に防止して、よりいっそう液体収納袋５を保護することができる。
【００２８】
以上のように、平面形状が矩形の段ボール製の包装箱１に、易剥離可能な隔壁６によって仕切られ成分配合の異なる２種類の輸液が個別に収納される２つの袋部７ａ，７ｂを備えた液体収納袋５が複数個収納される包装構造において、液体収納袋５は、隔壁６部分で折り曲げられて２つの袋部７ａ，７ｂが起立した２つ折りの状態で、ガス非透過性包装材を用いて形成され内部に脱酸素剤が入れられた２次包装袋１０に密封状態で収納され、この２次包装袋１０に密封状態で個々に収納された複数個の液体収納袋５は２次包装袋１０よりも摩擦係数が低い大袋１３に収納された状態で包装箱１に収納されるので、２次包装袋１０は密封状態で内部は脱酸素状態とされ、液体収納袋５の内部に空気中の酸素が浸入することを防止することができ、さらには、隔壁６によって仕切られた２つの袋部７ａ，７ｂに２種類の輸液が個別に収納された液体収納袋５を、隔壁６部分が折り曲げられて２つの袋部７ａ，７ｂが起立した状態で収納する場合に、隔壁６部分が傷付いて、２種類の輸液が不用意に混合され、あるいは輸液が外部に漏れ出ることを防止することができる。
【００２９】
また、包装箱１の底部には緩衝シート１４が載置されており、液体収納袋５は緩衝シート１４に載置された状態で包装箱１に収納されるので、液体収納袋５が包装箱１の外部から受ける衝撃を緩和して、折り曲げられた隔壁６部分が剥離するのを効果的に防止することができる。特に包装箱１の底板を形成する底板形成用フラップ３ｂと３ｂとの段差に隔壁６部分が当たって傷付くことを緩衝シート１４によって防止することができる。
【００３０】
さらに、包装箱１は複両面段ボール板を用いて形成されることにより、両面段ボール板を用いて包装箱１を形成した場合に比して変形しにくく、包装箱１の強度を向上させることができ、液体収納袋５を効果的に保護することができる。
【符号の説明】
【００３１】
１    包装箱
２ａ，２ｂ    対向側板
３ａ，３ｂ    底板形成用フラップ
４ａ，４ｂ    上板形成用フラップ
５    液体収納袋
６    隔壁
７ａ，７ｂ    袋部
８    周縁部
９    抽出口
１０    ２次包装袋
１１    脱酸素剤
１２    酸素検知剤
１３    大袋
１４    緩衝シート
【図１】
2013220834.tif 000003
【図２】
2013220834.tif 000004
【図３】
2013220834.tif 000005
【図４】
2013220834.tif 000006
【図５】
2013220834.tif 000007
【図６】
2013220834.tif 000008